(57)【要約】【課題】ダイレクトオンモードで起動したプロジェクターが、一度も画像信号を検出せずに電源オフしたとき、次回起動時に警告する。【解決手段】商用電源が供給されたときに光源を点灯して起動するダイレクトオンモードに設定（Ｓ１０２）されており、起動（Ｓ１０４）後に画像信号があるか否かを検出し（Ｓ１０５）、画像信号が検出されずに商用電源を遮断された場合、次回起動時に警告メッセージを表示する（Ｓ１０９）とともに、ダイレクトオンモードを解除して通常モードに設定する（Ｓ１１０）プロジェクター。【選択図】図２
2012133082.tif 000002
【特許請求の範囲】
【請求項１】
光源から射出された光を画像情報に応じて画像光に変調して投写する画像投写部を有するプロジェクターであって、
商用電源が供給されたときに前記光源を点灯して起動するダイレクトオンモード、または、前記商用電源が供給されたときに前記光源を点灯せずに待機状態に移行する通常モードのいずれかを設定可能なモード設定部と、
外部機器から画像信号を入力する信号入力部と、
前記信号入力部に画像信号が入力されているか否かを検出する信号検出部と、
前記モード設定部および前記信号検出部が画像信号入力を検出した場合にセットされる信号検出フラグを記憶する記憶部と、
当該プロジェクターの動作を制御する制御部と、
を備え、
前記制御部は、前記モード設定部に前記ダイレクトオンモードが設定されており、且つ前記信号検出フラグがセットされていない場合において、前記商用電源が供給され起動した後、前記画像投写部に警告メッセージを投写させるとともに前記モード設定部を前記通常モードに設定することを特徴とするプロジェクター。
【請求項２】
光源から射出された光を画像情報に応じて画像光に変調して投写する画像投写部を有するプロジェクターであって、
商用電源が供給されたときに前記光源を点灯して起動するダイレクトオンモード、または、前記商用電源が供給されたときに前記光源を点灯せずに待機状態に移行する通常モードのいずれかを設定可能なモード設定部と、
外部機器から画像信号を入力する信号入力部と、
前記信号入力部に画像信号が入力されているか否かを検出する信号検出部と、
前記モード設定部および前記信号検出部が画像信号入力を検出した場合にセットされる信号検出フラグを記憶する記憶部と、
当該プロジェクターの動作を制御する制御部と、
操作入力に対応する操作信号を出力する操作部と、
を備え、
前記制御部は、前記モード設定部に前記ダイレクトオンモードが設定されており、且つ前記信号検出フラグがセットされていない場合に、前記商用電源が供給され起動した後、前記画像投写部にダイレクトオンモードを解除するかどうかの確認メッセージを投写させた後、前記操作部より、ダイレクトオンモードを解除する操作信号を検出した場合に、前記モード設定部を前記通常モードに設定することを特徴とするプロジェクター。
【請求項３】
請求項２に記載のプロジェクターであって、
前記制御部は、前記モード設定部に前記ダイレクトオンモードが設定されており、且つ前記信号検出フラグがセットされていない場合に、前記商用電源が供給され起動した後、前記画像投写部にダイレクトオンモードを解除するかどうかの確認メッセージを投写させた後、所定時間内に操作信号を検出しなかった場合、当該プロジェクターの電源をオフするとともに、前記モード設定部を前記通常モードに設定することを特徴とするプロジェクター。
【請求項４】
請求項２に記載のプロジェクターであって、
前記制御部は、前記モード設定部に前記ダイレクトオンモードが設定されており、且つ前記信号検出フラグがセットされていない場合に、前記商用電源が供給され起動した後、前記画像投写部にダイレクトオンモードを解除するかどうかの確認メッセージを投写させた後、所定時間内に前記信号検出部が画像信号を検出しなかった場合、当該プロジェクターの電源をオフするとともに、前記モード設定部を前記通常モードに設定することを特徴とするプロジェクター。
【請求項５】
請求項２に記載のプロジェクターであって、
前記制御部は、前記モード設定部に前記ダイレクトオンモードが設定されており、且つ前記信号検出フラグがセットされていない場合に、前記商用電源が供給され起動した後、前記画像投写部にダイレクトオンモードを解除するかどうかの確認メッセージを投写させた後、前記信号検出部が画像信号を検出した場合、前記確認メッセージを消去し、前記画像信号を前記画像投写部により投写させることを特徴とするプロジェクター。
【請求項６】
請求項１から５のいずれかに記載のプロジェクターであって、
前記制御部は前記信号検出部より所定の第２の時間、信号を検出しない場合に前記信号検出フラグをクリアすることを特徴とするプロジェクター。
【請求項７】
光源から射出された光を画像情報に応じて画像光に変調して投写する画像投写部と、
商用電源が供給されたときに前記光源を点灯して起動するダイレクトオンモード、または、前記商用電源が供給されたときに前記光源を点灯せずに待機状態に移行する通常モードのいずれかを設定可能なモード設定部と、
外部機器から画像信号を入力する信号入力部と、
前記信号入力部に画像信号が入力されているか否かを検出する信号検出部と、
前記モード設定部および前記信号検出部が画像信号入力を検出した場合にセットされる信号検出フラグを記憶する記憶部と、
当該プロジェクターの動作を制御する制御部と、を備えたプロジェクターの制御方法であって、
前記モード設定部に前記ダイレクトオンモードまたは前記通常モードが設定されているかを判断するモード判断ステップと、
前記信号検出フラグがセットされているか否かを判断する信号検出フラグ判断ステップと、を有し、
前記モード判断ステップにおいて前記モード設定部に前記ダイレクトオンモードが設定されており、且つ、前記信号検出フラグ判断ステップにおいて前記信号検出フラグがセットされていないときに、前記商用電源が供給され、起動した後、前記画像投写部に警告メッセージを表示する警告表示ステップと、
前記警告メッセージ表示後に、前記モード設定部を前記通常モードに設定する通常モード設定ステップと、
を有することを特徴とする、プロジェクターの制御方法。
【請求項８】
光源から射出された光を画像情報に応じて画像光に変調して投写する画像投写部と、
商用電源が供給されたときに前記光源を点灯して起動するダイレクトオンモード、または、前記商用電源が供給されたときに前記光源を点灯せずに待機状態に移行する通常モードのいずれかを設定可能なモード設定部と、
外部機器から画像信号を入力する信号入力部と、
前記信号入力部に画像信号が入力されているか否かを検出する信号検出部と、
前記モード設定部および前記信号検出部が画像信号入力を検出した場合にセットされる信号検出フラグを記憶する記憶部と、
操作入力に対応する操作信号を出力する操作部と、
当該プロジェクターの動作を制御する制御部と、を備えたプロジェクターの制御方法であって、
前記モード設定部に前記ダイレクトオンモードまたは前記通常モードが設定されているかを判断するモード判断ステップと、
前記信号検出フラグがセットされているか否かを判断する信号検出フラグ判断ステップと、を有し、
前記モード判断ステップにおいて前記モード設定部に前記ダイレクトオンモードが設定されており、且つ、前記信号検出フラグ判断ステップにおいて前記信号検出フラグがセットされていないときに、前記商用電源が供給され、起動した後、前記画像投写部に前記ダイレクトオンモードを解除するかどうかの確認メッセージを表示させる確認表示ステップと、
前記確認メッセージに対して前記操作部より、ダイレクトオンモードを解除する操作信号を検出した場合に前記モード設定部を前記通常モードに設定する通常モード設定ステップと、
を有することを特徴とする、プロジェクターの制御方法。
【発明の詳細な説明】
【技術分野】
【０００１】
本発明は、プロジェクターおよびその制御方法に関する。
【背景技術】
【０００２】
従来、プロジェクターにおいて、商用電源（ＡＣ電源）が供給されたときに、当該プロジェクターの光源を点灯して投写を開始するモード（以降、「ダイレクトオンモード」と呼ぶ）を備えたものが知られている。このようなダイレクトオンモードを備えたプロジェクターによれば、商用電源を供給するだけで投写が開始されるため、電源キーによる電源オン操作が不要になる。よって、例えば、複数のプロジェクターを併用する場合や、プロジェクターを他の機器と併用して使用する場合等に、電源投入や電源切断をシステムとして一括して行うことが可能になるため、有効である。
【０００３】
ここで、このようなダイレクトオンモードを備えたプロジェクターが、上述したシステムの態様で使用されている場合、使用者による投写画像の監視が行われていない場合（例えば、アミューズメント施設での使用や電子看板としての使用形態）があった。このように使用者による監視が行われていない場合には、システムに何らかの設定ミス、故障が発生し、プロジェクターに映像信号が入力されない状態になっていたとしても、使用者がその状態に気付かずに、無信号状態で投写され続けてしまい、プロジェクターのランプが無駄に消耗してしまっていた。
【０００４】
特許文献１には、ＡＣオンスタート（ダイレクトオンモード）により起動された場合に、映像入力信号が無信号の状態が所定時間継続すると、光源ランプを消灯して待機状態に移行する画像表示装置（プロジェクター）が開示されている。
【先行技術文献】
【特許文献】
【０００５】
【特許文献１】特開２００７−７２３２２号公報
【発明の概要】
【発明が解決しようとする課題】
【０００６】
しかしながら、このようなプロジェクターにおいても、使用者が、プロジェクターが無信号状態で投写していることに気づかず使い続ける限り、プロジェクターは、ダイレクトオンモードによって光源を点灯して、少なくとも所定時間の投写を行ってしまい、ランプを消耗してしまう問題は解決されなかった。
【課題を解決するための手段】
【０００７】
本発明は、上述の課題の少なくとも一部を解決するためになされたものであり、以下の形態または適用例として実現することが可能である。
【０００８】
［適用例１］本適用例に係るプロジェクターは、光源から射出された光を画像情報に応じて画像光に変調して投写する画像投写部を有するプロジェクターであって、商用電源が供給されたときに前記光源を点灯して起動するダイレクトオンモード、または、前記商用電源が供給されたときに前記光源を点灯せずに待機状態に移行する通常モードのいずれかを設定可能なモード設定部と、外部機器から画像信号を入力する信号入力部と、前記信号入力部に画像信号が入力されているか否かを検出する信号検出部と、前記モード設定部および、前記信号検出部が画像信号入力を検出した場合にセットされる信号検出フラグを記憶する記憶部と、当該プロジェクターの動作を制御する制御部と、を備え、前記制御部は、前記モード設定部に前記ダイレクトオンモードが設定されており、且つ前記信号検出フラグがセットされていない場合において、前記商用電源が供給され起動した後、前記画像投写部に警告メッセージを投写させるとともに前記モード設定部を前記通常モードに設定することを特徴とする。
【０００９】
本適用例によれば、信号検出フラグがセットされていない状態、即ち、一度も画像信号が入力されない状態で商用電源が遮断された状態において、ダイレクトオンモードで起動したときに警告メッセージを表示させ、ダイレクトオンモードを解除する。よって、次回以降は、使用者がプロジェクターの設定を直さない限り、ダイレクトオンモードでは起動しない。これによってプロジェクターに画像信号が正しく入力されておらず、ダイレクトオンモードが解除されたことを使用者に通知し、設定を見直すことを促すとともに、無信号状態で投写され続け、ランプが無駄に消耗することを防ぐことが可能となる。
【００１０】
［適用例２］本適用例に係るプロジェクターは、光源から射出された光を画像情報に応じて画像光に変調して投写する画像投写部を有するプロジェクターであって、商用電源が供給されたときに前記光源を点灯して起動するダイレクトオンモード、または、前記商用電源が供給されたときに前記光源を点灯せずに待機状態に移行する通常モードのいずれかを設定可能なモード設定部と、外部機器から画像信号を入力する信号入力部と、前記信号入力部に画像信号が入力されているか否かを検出する信号検出部と、前記モード設定部および、前記信号検出部が画像信号入力を検出した場合にセットされる信号検出フラグを記憶する記憶部と、当該プロジェクターの動作を制御する制御部と、操作入力に対応する操作信号を出力する操作部と、を備え、前記制御部は、前記モード設定部に前記ダイレクトオンモードが設定されており、且つ前記信号検出フラグがセットされていない場合に、前記商用電源が供給され起動した後、前記画像投写部にダイレクトオンモードを解除するかどうかの確認メッセージを投写させた後、前記操作部より、ダイレクトオンモードを解除する操作信号を検出した場合に、前記モード設定部を前記通常モードに設定することを特徴とする。
【００１１】
本適用例によれば、信号検出フラグがセットされていない状態、即ち、一度も画像信号が入力されない状態で商用電源が遮断された状態において、ダイレクトオンモードで起動したときに、ダイレクトオンモードを解除するかどうかの確認メッセージを表示させ、使用者にダイレクトオンモードを解除するかどうかを選択させる。よって、使用者にプロジェクターに画像信号が入力されていなかったことを通知し、画像信号が入力されるように見直すか、ダイレクトオンモードを解除し、システムの使い方を変えるかなどの確認作業、見直しを促すことが可能となる。
【００１２】
［適用例３］上記適用例２に記載のプロジェクターにおいて、前記制御部は、前記モード設定部に前記ダイレクトオンモードが設定されており、且つ前記信号検出フラグがセットされていない場合に、前記商用電源が供給され起動した後、前記画像投写部にダイレクトオンモードを解除するかどうかの確認メッセージを投写させた後、所定時間内に操作信号を検出しなかった場合、当該プロジェクターの電源をオフするとともに、前記モード設定部を前記通常モードに設定することを特徴とする。
【００１３】
本適用例によれば、信号検出フラグがセットされていない状態、即ち、一度も画像信号が入力されない状態で商用電源が遮断された状態において、ダイレクトオンモードで起動したときに、ダイレクトオンモードを解除するかどうかの確認メッセージを表示させた後、所定時間内に操作入力がなかった場合、プロジェクターの電源がオフになり、ダイレクトオンモードが解除される。よって、使用者がプロジェクターの確認メッセージ表示に気付かず、操作しなかった場合でも所定時間後に電源がオフされ、次回以降、ダイレクトオンモードでは起動しない。これによって、プロジェクターに画像信号が正しく入力されておらず、ダイレクトオンモードが解除されたことを使用者に通知し、設定を見直すことを促すとともに、無信号状態で投写され続け、ランプが無駄に消耗することを防ぐことが可能となる。
【００１４】
［適用例４］上記適用例２に記載のプロジェクターにおいて、前記制御部は、前記モード設定部に前記ダイレクトオンモードが設定されており、且つ前記信号検出フラグがセットされていない場合に、前記商用電源が供給され起動した後、前記画像投写部にダイレクトオンモードを解除するかどうかの確認メッセージを投写させた後、所定時間内に前記信号検出部が画像信号を検出しなかった場合、当該プロジェクターの電源をオフするとともに、前記モード設定部を前記通常モードに設定することを特徴とする。
【００１５】
本適用例によれば、信号検出フラグがセットされていない状態、即ち、一度も画像信号が入力されない状態で商用電源が遮断された状態において、ダイレクトオンモードで起動したときに、ダイレクトオンモードを解除するかどうかの確認メッセージを表示させた後、所定時間内に画像信号がプロジェクターに入力されなかった場合、プロジェクターの電源がオフになり、ダイレクトオンモードが解除される。よって、使用者がプロジェクターの確認メッセージ表示に気付かず、画像信号を入力させるなどの処置をしなかった場合でも所定時間後に電源がオフされ、次回以降、ダイレクトオンモードでは起動しない。これによって、プロジェクターに画像信号が正しく入力されておらず、ダイレクトオンモードが解除されたことを使用者に通知し、設定を見直すことを促すとともに、無信号状態で投写され続け、ランプが無駄に消耗することを防ぐことが可能となる。
【００１６】
［適用例５］上記適用例２に記載のプロジェクターにおいて、前記制御部は、前記モード設定部に前記ダイレクトオンモードが設定されており、且つ前記信号検出フラグがセットされていない場合に、前記商用電源が供給され起動した後、前記画像投写部にダイレクトオンモードを解除するかどうかの確認メッセージを投写させた後、前記信号検出部が画像信号を検出した場合、前記確認メッセージを消去し、前記画像信号を前記画像投写部により投写させることを特徴とする。
【００１７】
本適用例によれば、信号検出フラグがセットされていない状態、即ち、一度も画像信号が入力されない状態で商用電源が遮断された状態において、ダイレクトオンモードで起動したときに、ダイレクトオンモードを解除するかどうかの確認メッセージを表示させた後で、画像信号が入力された場合に確認メッセージを消去するとともに、画像信号を投写する。これによって、確認メッセージ表示中に画像信号が検出され、正しく投写できる状態に復帰した場合、使用者が操作しなくてもメッセージを消去して通常の投写状態に移行させることが可能となる。
【００１８】
［適用例６］上記適用例１から５のいずれかに記載のプロジェクターにおいて、前記制御部は前記信号検出部より所定の第２の時間、信号を検出しない場合に前記信号検出フラグをクリアすることを特徴とする。
【００１９】
本適用例によれば、画像信号が入力され、信号検出フラグがセットされた後で、所定時間以上、画像信号が入力されていない状態が継続した場合、信号検出フラグがクリアされる。よって、投写途中になんらかの要因により画像信号が入力されなくなった後で商用電源が遮断された状態においても、ダイレクトオンモードで起動したときに、使用者にその旨を通知し、ダイレクトオンモードを解除することが可能となる。
【００２０】
［適用例７］本適用例に係るプロジェクターの制御方法は、光源から射出された光を画像情報に応じて画像光に変調して投写する画像投写部と、商用電源が供給されたときに前記光源を点灯して起動するダイレクトオンモード、または、前記商用電源が供給されたときに前記光源を点灯せずに待機状態に移行する通常モードのいずれかを設定可能なモード設定部と、外部機器から画像信号を入力する信号入力部と、前記信号入力部に画像信号が入力されているか否かを検出する信号検出部と、前記モード設定部および、前記信号検出部が画像信号入力を検出した場合にセットされる信号検出フラグを記憶する記憶部と、当該プロジェクターの動作を制御する制御部と、を備えたプロジェクターの制御方法であって、前記モード設定部に前記ダイレクトオンモードまたは前記通常モードが設定されているかを判断するモード判断ステップと、前記信号検出フラグがセットされているか否かを判断する信号検出フラグ判断ステップと、を有し、前記モード判断ステップにおいて前記モード設定部に前記ダイレクトオンモードが設定されており、且つ、前記信号検出フラグ判断ステップにおいて前記信号検出フラグがセットされていないときに、前記商用電源が供給され、起動した後、前記画像投写部に警告メッセージを表示する警告表示ステップと、前記警告メッセージ表示後に、前記モード設定部を前記通常モードに設定する通常モード設定ステップと、を有することを特徴とする。
【００２１】
本適用例によれば、信号検出フラグがセットされていない状態、即ち、一度も画像信号が入力されない状態で商用電源が遮断された状態において、ダイレクトオンモードで起動したときに警告メッセージを表示させ、ダイレクトオンモードを解除する。よって、次回以降は、使用者がプロジェクターの設定を直さない限り、ダイレクトオンモードでは起動しない。これによってプロジェクターに画像信号が正しく入力されておらず、ダイレクトオンモードが解除されたことを使用者に通知し、設定を見直すことを促すとともに、無信号状態で投写され続け、ランプが無駄に消耗することを防ぐことが可能となる。
【００２２】
［適用例８］本適用例に係るプロジェクターの制御方法は、光源から射出された光を画像情報に応じて画像光に変調して投写する画像投写部と、商用電源が供給されたときに前記光源を点灯して起動するダイレクトオンモード、または、前記商用電源が供給されたときに前記光源を点灯せずに待機状態に移行する通常モードのいずれかを設定可能なモード設定部と、外部機器から画像信号を入力する信号入力部と、前記信号入力部に画像信号が入力されているか否かを検出する信号検出部と、前記モード設定部および、前記信号検出部が画像信号入力を検出した場合にセットされる信号検出フラグを記憶する記憶部と、操作入力に対応する操作信号を出力する操作部と、当該プロジェクターの動作を制御する制御部と、を備えたプロジェクターの制御方法であって、前記モード設定部に前記ダイレクトオンモードまたは前記通常モードが設定されているかを判断するモード判断ステップと、前記信号検出フラグがセットされているか否かを判断する信号検出フラグ判断ステップと、を有し、前記モード判断ステップにおいて前記モード設定部に前記ダイレクトオンモードが設定されており、且つ、前記信号検出フラグ判断ステップにおいて前記信号検出フラグがセットされていないときに、前記商用電源が供給され、起動した後、前記画像投写部に前記ダイレクトオンモードを解除するかどうかの確認メッセージを表示させる確認表示ステップと、前記確認メッセージに対して前記操作部より、ダイレクトオンモードを解除する操作信号を検出した場合に前記モード設定部を前記通常モードに設定する通常モード設定ステップと、を有することを特徴とする。
【００２３】
本適用例によれば、信号検出フラグがセットされていない状態、即ち、一度も画像信号が入力されない状態で商用電源が遮断された状態において、ダイレクトオンモードで起動したときに、ダイレクトオンモードを解除するかどうかの確認メッセージを表示させ、使用者にダイレクトオンモードを解除するかどうかを選択させる。よって、使用者にプロジェクターに画像信号が入力されていなかったことを通知し、画像信号が入力されるように見直すか、ダイレクトオンモードを解除し、システムの使い方を変えるかなどの確認作業、見直しを促すことが可能となる。
【図面の簡単な説明】
【００２４】
【図１】プロジェクターの回路構成を示すブロック図。
【図２】適用例１のプロジェクターの動作を示すフローチャートであり、（ａ）は商用電源供給時、（ｂ）は画像信号検出時の動作を示す。
【図３】適用例１のプロジェクターの通知メッセージ。
【図４】変形例１のプロジェクターの動作を示すフローチャート。
【図５】変形例１のプロジェクターの確認メッセージ。
【図６】変形例２のプロジェクターの動作を示すフローチャート。
【図７】変形例３のプロジェクターの動作を示すフローチャート。
【図８】変形例４のプロジェクターの動作を示すフローチャート。
【図９】変形例５のプロジェクターの動作を示すフローチャートであり、（ａ）は画像信号検出時を示し、（ｂ）は画像信号非検出時の動作を示す。
【発明を実施するための形態】
【００２５】
以下、添付図面に基づいて本発明の一実施形態について説明するが、以下の実施形態は特許請求の範囲にかかる発明を限定するものではなく、また、実施形態における特徴の組み合わせの全てが発明の解決手段に必須であるとは限らない。
【００２６】
（第１実施形態）
図１は、本実施形態のプロジェクターの回路構成を示すブロック図である。
図１に示すように、プロジェクター１は、画像投写部１０、制御部２０、記憶部２１、光源制御部２２、入力操作部２３、画像信号入力部２、画像信号処理部３、ＯＳＤ処理部４、信号検出部５等で構成されており、これらは図示しない筐体の内部に収容されている。
【００２７】
画像投写部１０は、光源１１、光変調装置としての３つの液晶ライトバルブ１２Ｒ、１２Ｇ、１２Ｂ、投写光学系としての投写レンズ１３、液晶駆動部１４等を含んでいる。画像投写部１０は、光源１１から射出された光を、液晶ライトバルブ１２Ｒ、１２Ｇ、１２Ｂで変調して画像光を形成し、この画像光を投写レンズ１３から投写することによってスクリーンＳＣ等に画像を表示する。
【００２８】
光源１１は、超高圧水銀ランプやメタルハライドランプ等からなる放電型の光源ランプ１１ａと、光源ランプ１１ａが放射した光を液晶ライトバルブ１２Ｒ、１２Ｇ、１２Ｂ側に反射するリフレクター１１ｂとを含んで構成されている。光源１１から射出された光は、図示しないインテグレーター光学系によって輝度分布が略均一な光に変換され、図示しない色分離光学系によって光の３原色である赤色（Ｒ）、緑色（Ｇ）、青色（Ｂ）の各色光成分に分離された後、それぞれ液晶ライトバルブ１２Ｒ、１２Ｇ、１２Ｂに入射する。
【００２９】
液晶ライトバルブ１２Ｒ、１２Ｇ、１２Ｂは、一対の透明基板間に液晶が封入された液晶パネル等によって構成される。液晶ライトバルブ１２Ｒ、１２Ｇ、１２Ｂには、マトリックス状に配列された複数の画素（図示せず）が形成されており、液晶に対して画素毎に駆動電圧を印加可能になっている。液晶駆動部１４が、入力される画像情報に応じた駆動電圧を各画素に印加すると、各画素は、画像情報に応じた光透過率に設定される。このため、光源１１から射出された光は、この液晶ライトバルブ１２Ｒ、１２Ｇ、１２Ｂを透過することによって変調され、画像情報に応じた画像光が色光毎に形成される。形成された各色の画像光は、図示しない色合成光学系によって画素毎に合成されてカラーの画像光となった後、投写レンズ１３によってスクリーンＳＣ等に拡大投写される。
【００３０】
上記実施形態では、光源としてランプを用いて投写するプロジェクター１を例示したが、本発明は光源としてＬＥＤ（Light emitting diode）光源やレーザー光源などを用いて投写するプロジェクターにも適用することができる。なお、上記の実施形態では、画像投写部１０は、光源１１、光変調装置としての３つの液晶ライトバルブ１２Ｒ，１２Ｇ，１２Ｂを用いた透過型液晶方式の投写光学系を例示したが、反射型液晶表示方式やマイクロミラーデバイス方式（ライトスイッチ表示方式）など、他の表示方式の光変調装置を採用しても良い。
【００３１】
制御部２０は、ＣＰＵ（Central Processing Unit）や、各種データ等の一時記憶に用いられるＲＡＭ（Random Access Memory）等を備え、記憶部２１に記憶されている制御プログラム（図示せず）に従って動作することによりプロジェクター１の動作を統括制御する。つまり、制御部２０は、記憶部２１とともにコンピューターとして機能する。また、制御部２０には、時間の計測を行うためのタイマー２０ａが備えられている。
【００３２】
記憶部２１は、フラッシュメモリーやＦｅＲＡＭ（Ferroelectric RAM：強誘電体メモリー）等の書き換え可能な不揮発性のメモリーにより構成されている。記憶部２１には、プロジェクター１の動作を制御するための制御プログラムや、プロジェクター１の動作条件等を規定する各種設定データ等が記憶されている。
本実施形態では設定データとして、モード設定部２１ａ、および信号検出フラグ２１ｂが記憶部２１に保存される。モード設定部２１ａは、プロジェクター１に商用電源が供給されたときに光源１１を点灯して起動するダイレクトオンモード、または、商用電源が供給されたときに光源１１を点灯せずに待機状態に移行する通常モードのどちらに切り替えられているかを表す情報である。即ち、ダイレクトオンモードの設定が有効となっているか否かについての情報である。モード設定部２１ａは、制御部２０によって設定される。信号検出フラグ２１ｂは信号検出部５の検出結果に基づき、制御部２０によってセットまたはクリアされる。
【００３３】
入力操作部２３は、ユーザーがプロジェクター１に対して各種指示を行うための複数の操作キーを備えている。入力操作部２３が備える操作キーとしては、電源のオン・オフを交互に切り替えるための電源キーや、複数の画像信号入力部２に入力される画像入力端子を切り替えるための入力切替キー、各種設定を行うための設定メニューを重畳表示させるメニューキー、メニューからユーザーが設定項目を選択するカーソルキー、決定キー、エスケープキー等がある。
ユーザーが入力操作部２３の各種操作キーを操作すると、入力操作部２３は、ユーザーの操作内容に応じた操作信号を制御部２０に出力する。なお、入力操作部２３は、リモコン信号受信部（図示せず）と遠隔操作が可能なリモートコントローラー（図示せず）を有した構成としてもよい。この場合、リモートコントローラーは、使用者の操作内容に応じた赤外線等の操作信号を発し、リモコン信号受信部がこれを受信して制御情報として制御部２０に伝達する。
【００３４】
画像信号入力部２は、上述したように複数の画像入力端子を備えており、各画像入力端子より、ビデオ再生装置やパーソナルコンピューター等、外部の画像出力装置から、図示しないケーブルを介して画像情報が入力される。
【００３５】
画像信号処理部３は、画像信号入力部２から入力される画像情報を、液晶ライトバルブ１２Ｒ、１２Ｇ、１２Ｂの各画素の階調を表す画像情報に変換する。ここで、変換された画像情報は、Ｒ，Ｇ，Ｂの色光別になっており、各液晶ライトバルブ１２Ｒ、１２Ｇ、１２Ｂのすべての画素に対応する複数の画素値によって構成されている。画素値とは、対応する画素の光透過率を定めるものであり、この画素値によって、各画素を透過し射出する光の強弱（階調）が規定される。
【００３６】
ＯＳＤ処理部４は、制御部２０の指示に基づいて、投写画像上に、メニュー画像やメッセージ画像等のＯＳＤ（オンスクリーンディスプレイ）画像を重畳して表示するための処理を行う。ＯＳＤ処理部４は、図示しないＯＳＤメモリーを備えており、ＯＳＤ画像を形成するための図形やフォント等を表すＯＳＤ画像情報を記憶している。制御部２０が、ＯＳＤ画像の重畳表示を指示すると、ＯＳＤ処理部４は、必要なＯＳＤ画像情報をＯＳＤメモリーから読み出し、投写画像上の所定の位置にＯＳＤ画像が重畳されるように、画像信号処理部３から入力される画像情報にこのＯＳＤ画像情報を合成する。ＯＳＤ画像情報が合成された画像情報は、液晶駆動部１４に出力される。なお、制御部２０からＯＳＤ画像を重畳する旨の指示がない場合には、ＯＳＤ処理部４は、画像信号処理部３から入力される画像情報を、そのまま液晶駆動部１４に出力する。
【００３７】
信号検出部５は、画像信号入力部２から有効な画像信号が入力されているか否かの検出結果を制御部２０に通知する。
【００３８】
液晶駆動部１４は本実施形態における画像形成部であり、ＯＳＤ処理部４から入力される画像情報に従って液晶ライトバルブ１２Ｒ、１２Ｇ、１２Ｂを駆動すると、液晶ライトバルブ１２Ｒ、１２Ｇ、１２Ｂは、画像情報に応じた画像を形成し、この画像が投写レンズ１３から投写される。
【００３９】
光源制御部２２は、制御部２０の指示に基づいて、光源１１に対する電力の供給と停止とを制御し、光源１１の点灯及び消灯を切り替える。
【００４０】
次に、本実施形態のプロジェクター１の動作を図２のフローチャートを用いて説明する。
〔商用電源供給時の動作〕
図２（ａ）はプロジェクター１に商用電源が供給されたときの動作を示すフローチャートである。
【００４１】
図２（ａ）に示すように、まずプロジェクター１に、商用電源が供給されると（ステップＳ１０１）、制御部２０はモード設定部２１ａがダイレクトオンモードに設定されているか調べる（ステップＳ１０２）。
モード設定部２１ａがダイレクトオンモードに設定されていない場合（ステップＳ１０２：Ｎ）、即ち通常モードに設定されている場合、制御部２０はプロジェクター１をスタンバイ状態に移行する（ステップＳ１０３）。スタンバイ状態では入力操作部２３による電源オン操作入力などで起動する。
モード設定部２１ａがダイレクトオンモードに設定されている場合（ステップＳ１０２：Ｙ）、ステップＳ１０４に移行する。
【００４２】
ステップＳ１０４において制御部２０は、光源制御部２２によりランプ点灯電源をＯＮすることによって光源１１を点灯させ、プロジェクター１を起動する。
【００４３】
次に制御部２０は信号検出部５が画像信号入力部２より画像信号を検出しているか調べる（ステップＳ１０５）。画像信号が検出されている場合（ステップＳ１０５：Ｙ）、制御部２０は信号検出フラグ２１ｂをセット（ＯＮ）し（ステップＳ１０６）、ステップＳ１１１に移行する。画像信号が検出されていない場合（ステップＳ１０５：Ｎ）、ステップＳ１０７に移行する。
【００４４】
ステップＳ１０７において制御部２０は、信号検出フラグ２１ｂがセット（ＯＮ）されているかどうか調べる。信号検出フラグ２１ｂがセットされている場合（ステップＳ１０７：Ｙ）、制御部２０は信号検出フラグ２１ｂをクリア（ＯＦＦ）し（ステップＳ１０８）、ステップＳ１１１に移行する。信号検出フラグ２１ｂがセットされていない場合（ステップＳ１０７：Ｎ）、ステップＳ１０９に移行する。
【００４５】
ステップＳ１０９において制御部２０は、前回使用時に画像信号が検出されていないのでダイレクトオンモードを解除する旨の警告メッセージを画像投写部１０に投写させる。このときの警告メッセージを図３に示す。
【００４６】
次に制御部２０はモード設定部２１ａを通常モードに設定し（ステップＳ１１０）、ステップＳ１１１に移行する。
【００４７】
ステップＳ１１１において、制御部２０は画像投写部１０により投写を開始させる。
【００４８】
〔画像信号検出時の動作〕
図２（ｂ）はプロジェクター１が投写中に画像信号を検出したときの動作を示すフローチャートである。
図２（ｂ）に示すように、制御部２０は、プロジェクター１が投写中において、信号検出部５が画像信号を新たに検出した場合、つまり無信号状態から新たに有効な画像信号を検出した場合（ステップＳ１２１）、制御部２０は信号検出フラグ２１ｂをセット（ＯＮ）する（ステップＳ１２２）。
【００４９】
以上説明したように、本実施形態のプロジェクター１によれば、信号検出フラグ２１ｂがセットされていない状態、即ち、一度も画像信号が入力されない状態で商用電源が遮断された状態において、ダイレクトオンモードで起動したときに警告メッセージを表示させ、ダイレクトオンモードを解除する。よって、次回以降は、使用者がプロジェクター１の設定を直さない限り、ダイレクトオンモードでは起動しない。これによってプロジェクター１に画像信号が正しく入力されておらず、ダイレクトオンモードが解除されたことを使用者に通知し、設定を見直すことを促すとともに、無信号状態で投写され続け、ランプが無駄に消耗することを防ぐことが可能となる。
【００５０】
（変形例１）
また、上記実施形態は、以下のように変更してもよい。
【００５１】
上記実施形態では信号検出フラグ２１ｂがセットされていない状態、即ち、一度も画像信号が入力されない状態で商用電源が遮断された状態において、ダイレクトオンモードで起動したときに警告メッセージを表示させ、ダイレクトオンモードを解除するが、一度も画像信号が入力されない状態で商用電源が遮断された状態において、ダイレクトオンモードで起動したときに、ダイレクトオンモードを解除するかどうかの確認メッセージを表示し、使用者に選択させるようにしてもよい。
【００５２】
本変形例のプロジェクター１の動作を図４のフローチャートを用いて説明する。
図４に示すように、まずプロジェクター１に、商用電源が供給されると（ステップＳ２０１）、制御部２０はモード設定部２１ａがダイレクトオンモードに設定されているか調べる（ステップＳ２０２）。
モード設定部２１ａがダイレクトオンモードに設定されていない場合（ステップＳ２０２：Ｎ）、即ち通常モードに設定されている場合、制御部２０はプロジェクター１をスタンバイ状態に移行する（ステップＳ２０３）。スタンバイ状態では入力操作部２３による電源オン操作入力などで起動する。
モード設定部２１ａがダイレクトオンモードに設定されている場合（ステップＳ２０２：Ｙ）、ステップＳ２０４に移行する。
【００５３】
ステップＳ２０４において制御部２０は、光源制御部２２によりランプ点灯電源をＯＮすることによって光源１１を点灯させ、プロジェクター１を起動する。
【００５４】
次に制御部２０は信号検出部５が画像信号入力部２より画像信号を検出しているか調べる（ステップＳ２０５）。画像信号が検出されている場合（ステップＳ２０５：Ｙ）、制御部２０は信号検出フラグ２１ｂをセット（ＯＮ）し（ステップＳ２０６）、ステップＳ２１２に移行する。画像信号が検出されない場合（ステップＳ２０５：Ｎ）、ステップＳ２０７に移行する。
【００５５】
ステップＳ２０７において制御部２０は、信号検出フラグ２１ｂがセット（ＯＮ）されているかどうか調べる。信号検出フラグ２１ｂがセットされている場合（ステップＳ２０７：Ｙ）、制御部２０は信号検出フラグ２１ｂをクリア（ＯＦＦ）し（ステップＳ２０８）、ステップＳ２１２に移行する。信号検出フラグ２１ｂがセットされていない場合（ステップＳ２０７：Ｎ）、ステップＳ２０９に移行する。
【００５６】
ステップＳ２０９において制御部２０は、前回使用時に画像信号が検出されていないのでダイレクトオンモードを解除するかどうかの確認メッセージを画像投写部１０に投写させる。このときの確認メッセージを図５に示す。
【００５７】
次に制御部２０は確認メッセージに対する応答によって、ダイレクトオンモードを解除するか否かを調べる（ステップＳ２１０）。
ダイレクトオンモードを解除する選択がされた場合（ステップＳ２１０：Ｙ）、モード設定部２１ａを通常モードに設定し（ステップＳ２１１）、ステップＳ２１２に移行する。
ダイレクトオンモードを解除する選択がされなかった場合（ステップＳ２１０：Ｎ）、ステップＳ２１２に移行する。
【００５８】
ステップＳ２１２において制御部２０は、画像投写部１０により投写を開始する。
【００５９】
なお、プロジェクター１が投写中に、画像信号を新たに検出した場合の動作は図２（ｂ）のステップＳ１２１からステップＳ１２２と同じであるので説明は省略する。
【００６０】
以上、説明したように、本変形例のプロジェクター１によれば、信号検出フラグ２１ｂがセットされていない状態、即ち、一度も画像信号が入力されない状態で商用電源が遮断された状態において、ダイレクトオンモードで起動したときに、ダイレクトオンモードを解除するかどうかの確認メッセージを表示させ、使用者にダイレクトオンモードを解除するかどうかを選択させる。よって、使用者にプロジェクター１に画像信号が入力されていなかったことを通知し、画像信号が入力されるように見直すか、ダイレクトオンモードを解除し、システムの使い方を変えるかなどの確認作業、見直しを促すことが可能となるとともに、信号状態で投写され続け、ランプが無駄に消耗することを防ぐことが可能となる。
【００６１】
（変形例２）
上記変形例１において、確認メッセージ表示中、所定時間内に入力操作がないときにダイレクトオンモードを解除し、電源をオフするようにしてもよい。
【００６２】
本変形例のプロジェクター１の動作を図６のフローチャートを用いて説明する。
図６に示すように、まずプロジェクター１に、商用電源が供給されると（ステップＳ３０１）、制御部２０はモード設定部２１ａがダイレクトオンモードに設定されているか調べる（ステップＳ３０２）。
モード設定部２１ａがダイレクトオンモードに設定されていない場合（ステップＳ３０２：Ｎ）、即ち通常モードに設定されている場合、制御部２０はプロジェクター１をスタンバイ状態に移行する（ステップＳ３０３）。スタンバイ状態では入力操作部２３による電源オン操作入力などで起動する。モード設定部２１ａがダイレクトオンモードに設定されている場合（ステップＳ３０２：Ｙ）、ステップＳ３０４に移行する。
【００６３】
ステップＳ３０４において制御部２０は、光源制御部２２によりランプ点灯電源をＯＮすることによって光源１１を点灯させ、プロジェクター１を起動する。
【００６４】
次に制御部２０は信号検出部５が画像信号入力部２より画像信号を検出しているか調べる（ステップＳ３０５）。画像信号が検出されている場合（ステップＳ３０５：Ｙ）、制御部２０は信号検出フラグ２１ｂをセット（ＯＮ）し（ステップＳ３０６）、ステップＳ３１４に移行する。画像信号が検出されていない場合（ステップＳ３０５：Ｎ）、ステップＳ３０７に移行する。
【００６５】
ステップＳ３０７において制御部２０は、信号検出フラグ２１ｂがセット（ＯＮ）されているかどうか調べる。
信号検出フラグ２１ｂがセットされている場合（ステップＳ３０７：Ｙ）、制御部２０は信号検出フラグ２１ｂをクリア（ＯＦＦ）し（ステップＳ３０８）、ステップＳ３１４に移行する。
信号検出フラグ２１ｂがセットされていない場合（ステップＳ３０７：Ｎ）、ステップＳ３０９に移行する。
【００６６】
ステップＳ３０９において制御部２０は、前回使用時に画像信号が検出されていないのでダイレクトオンモードを解除するかどうかの確認メッセージを画像投写部１０に投写させる。このときの警告メッセージは前述した図５と同じである。
【００６７】
次に制御部２０は、タイマー２０ａによる計時を開始する（ステップＳ３１０）。
【００６８】
次に制御部２０は入力操作部２３より、ダイレクトオンモードを解除するかどうかの入力操作を検出したかどうかを調べる（ステップＳ３１１）。
入力操作を検出した場合（ステップＳ３１１：Ｙ）、ステップＳ３１２に移行する。入力操作を検出していない場合（ステップＳ３１１：Ｎ）、制御部２０はタイマー２０ａが所定の第１の時間を経過したか否かを調べる（ステップＳ３１５）。
タイマー２０ａが所定の第１の時間を経過していなければ（ステップＳ３１５：Ｎ）、ステップＳ３１１を繰り返す。
タイマー２０ａが所定の第１の時間を経過していれば（ステップＳ３１５：Ｙ）、ステップＳ３１６に移行する。
【００６９】
ステップＳ３１６において制御部２０は、モード設定部２１ａを通常モードに設定し、ステップＳ３１７において、プロジェクター１の電源をオフすることで、スタンバイ状態に移行する。
【００７０】
ステップＳ３１２において制御部２０は入力操作部２３よりダイレクトオンモード解除が選択されたか調べる。
ダイレクトオンモード解除が選択された場合（ステップＳ３１２：Ｙ）、制御部２０はモード設定部２１ａに通常モードを設定し（ステップＳ３１３）、ステップＳ３１４に移行する。
ダイレクトオンモード解除が選択されていない場合（ステップＳ３１２：Ｎ）、ステップＳ３１４に移行する。
【００７１】
ステップＳ３１４において制御部２０は、画像投写部１０に投写を開始させる。
【００７２】
なお、プロジェクター１が投写中に、画像信号を新たに検出した場合の動作は図２のステップＳ１２１からステップＳ１２２と同じであるので説明は省略する。
【００７３】
以上説明したように、本変形例のプロジェクター１によれば、信号検出フラグ２１ｂがセットされていない状態、即ち、一度も画像信号が入力されない状態で商用電源が遮断された状態において、ダイレクトオンモードで起動したときに、ダイレクトオンモードを解除するかどうかの確認メッセージを表示させた後、所定時間内に操作入力がなかった場合、プロジェクター１の電源がオフになり、ダイレクトオンモードが解除される。よって、使用者がプロジェクター１の確認メッセージ表示に気付かず、操作しなかった場合でも所定時間後に電源がオフされ、次回以降、ダイレクトオンモードでは起動しない。これによって、プロジェクター１に画像信号が正しく入力されておらず、ダイレクトオンモードが解除されたことを使用者に通知し、設定を見直すことを促すとともに、無信号状態で投写され続け、ランプが無駄に消耗することを防ぐことが可能となる。
【００７４】
（変形例３）
上記変形例１において、確認メッセージ表示中、所定時間、画像信号が検出されない状態が継続したときにダイレクトオンモードを解除し、電源をオフするようにしてもよい。
【００７５】
本変形例のプロジェクター１の動作を図７のフローチャートを用いて説明する。
図７に示すように、まずプロジェクター１に、商用電源が供給されると（ステップＳ４０１）、制御部２０はモード設定部２１ａがダイレクトオンモードに設定されているか調べる（ステップＳ４０２）。
モード設定部２１ａがダイレクトオンモードに設定されていない場合（ステップＳ４０２：Ｎ）、即ち通常モードに設定されている場合、制御部２０はプロジェクター１をスタンバイ状態に移行する（ステップＳ４０３）。スタンバイ状態では入力操作部２３による電源オン操作入力などで起動する。
モード設定部２１ａがダイレクトオンモードに設定されている場合（ステップＳ４０２：Ｙ）、ステップＳ４０４に移行する。
【００７６】
ステップＳ４０４において制御部２０は、光源制御部２２によりランプ点灯電源をＯＮすることによって光源１１を点灯させ、プロジェクター１を起動する。
【００７７】
次に制御部２０は信号検出部５が画像信号入力部２より画像信号を検出しているか調べる（ステップＳ４０５）。画像信号が検出されている場合（ステップＳ４０５：Ｙ）、制御部２０は信号検出フラグ２１ｂをセット（ＯＮ）し（ステップＳ４０６）、ステップＳ４１３に移行する。
画像信号が検出されていない場合（ステップＳ４０５：Ｎ）、ステップＳ４０７に移行する。
【００７８】
ステップＳ４０７において制御部２０は、信号検出フラグ２１ｂがセット（ＯＮ）されているかどうか調べる。信号検出フラグ２１ｂがセットされている場合（ステップＳ４０７：Ｙ）、制御部２０は信号検出フラグ２１ｂをクリア（ＯＦＦ）し（ステップＳ４０８）、ステップＳ４１３に移行する。
信号検出フラグ２１ｂがセットされていない場合（ステップＳ４０７：Ｎ）、ステップＳ４０９に移行する。
【００７９】
ステップＳ４０９において制御部２０は、前回使用時に画像信号が検出されていないのでダイレクトオンモードを解除するかどうかの確認メッセージを画像投写部１０に投写させる。このときの確認メッセージは前述した図５と同じである。
【００８０】
ステップＳ４１０において制御部２０は、確認メッセージに対する応答操作を検出したか調べる。応答操作を検出した場合（ステップＳ４１０：Ｙ）ステップＳ４１１に移行する。応答操作を検出していない場合（ステップＳ４１０：Ｎ）、ステップＳ４１４に移行する。
【００８１】
ステップＳ４１４において制御部２０は、信号検出部５が画像信号入力部２より画像信号を検出しているか調べる。
画像信号が検出されている場合（ステップＳ４１４：Ｙ）、制御部２０はタイマー２０ａの動作を停止し（ステップＳ４１５）、ステップＳ４１８に移行する。
画像信号が検出されていない場合（ステップＳ４１４：Ｎ）、タイマー２０ａが動作中か調べる（ステップＳ４１６）。
【００８２】
タイマー２０ａが動作中でなければ（ステップＳ４１６：Ｎ）、タイマー２０ａをリセットした後、計時動作を開始（タイマースタート）し（ステップＳ４１７）、ステップＳ４１８に移行する。
一方、タイマー２０ａが動作中ならば（ステップＳ４１６：Ｎ）、ステップＳ４１８に移行する。
【００８３】
ステップＳ４１８において制御部２０は、タイマー２０ａが所定の第２の時間を経過したか否かを調べる。タイマー２０ａが所定の第２の時間を経過していなければ（ステップＳ４１８：Ｎ）、ステップＳ４１０からの処理を繰り返す。タイマー２０ａが所定の第２の時間を経過していれば（ステップＳ４１８：Ｙ）、ステップＳ４１９に移行する。
【００８４】
ステップＳ４１９において制御部２０は、モード設定部２１ａを通常モードに設定し、ステップＳ４２０において、プロジェクター１の電源をオフし、スタンバイ状態に移行する。
【００８５】
ステップＳ４１１において制御部２０は入力操作部２３よりダイレクトオンモード解除が選択されたか調べる。
ダイレクトオンモード解除が選択された場合（ステップＳ４１１：Ｙ）、制御部２０はモード設定部２１ａに通常モードを設定し（ステップＳ４１２）、ステップＳ４１３に移行する。
ダイレクトオンモード解除が選択されていない場合（ステップＳ４１１：Ｎ）、ステップＳ４１３に移行する。
【００８６】
ステップＳ４１３において制御部２０は、画像投写部１０に投写を開始させる。
【００８７】
なお、プロジェクター１が投写中に、画像信号を新たに検出した場合の動作は図２のステップＳ１２１からステップＳ１２２と同じであるので説明は省略する。
【００８８】
以上説明したように、本変形例のプロジェクター１によれば、信号検出フラグ２１ｂがセットされていない状態、即ち、一度も画像信号が入力されない状態で商用電源が遮断された状態において、ダイレクトオンモードで起動したときに、ダイレクトオンモードを解除するかどうかの確認メッセージを表示させた後、所定時間内に画像信号がプロジェクター１に入力されなかった場合、プロジェクター１の電源がオフになり、ダイレクトオンモードが解除される。よって、使用者がプロジェクター１の確認メッセージ表示に気付かず、画像信号を入力させるなどの処置をしなかった場合でも所定時間後に電源がオフされ、次回以降、ダイレクトオンモードでは起動しない。これによって、プロジェクター１に画像信号が正しく入力されておらず、ダイレクトオンモードが解除されたことを使用者に通知し、設定を見直すことを促すとともに、無信号状態で投写され続け、ランプが無駄に消耗することを防ぐことが可能となる。
【００８９】
（変形例４）
上記変形例１において、確認メッセージ表示中、所定時間、画像信号が検出されない状態が継続したときにダイレクトオンモードを解除し、電源をオフするようにしてもよい。
【００９０】
本変形例のプロジェクター１の動作を図８のフローチャートを用いて説明する。
図８に示すように、まずプロジェクター１に、商用電源が供給されると（ステップＳ５０１）、制御部２０はモード設定部２１ａがダイレクトオンモードに設定されているか調べる（ステップＳ５０２）。
モード設定部２１ａがダイレクトオンモードに設定されていない場合（ステップＳ５０２：Ｎ）、即ち通常モードに設定されている場合、制御部２０はプロジェクター１をスタンバイ状態に移行する（ステップＳ５０３）。スタンバイ状態では入力操作部２３による電源オン操作入力などで起動する。
モード設定部２１ａがダイレクトオンモードに設定されている場合（ステップＳ５０２：Ｙ）、ステップＳ５０４に移行する。
【００９１】
ステップＳ５０４において制御部２０は、光源制御部２２によりランプ点灯電源をＯＮすることによって光源１１を点灯させ、プロジェクター１を起動する。
【００９２】
次に制御部２０は信号検出部５が画像信号入力部２より画像信号を検出しているか調べる（ステップＳ５０５）。画像信号が検出されている場合（ステップＳ５０５：Ｙ）、制御部２０は信号検出フラグ２１ｂをセット（ＯＮ）し（ステップＳ５０６）、ステップＳ５１５に移行する。
画像信号が検出されていない場合（ステップＳ５０５：Ｎ）、ステップＳ５０７に移行する。
【００９３】
ステップＳ５０７において制御部２０は、信号検出フラグ２１ｂがセット（ＯＮ）されているかどうか調べる。信号検出フラグ２１ｂがセットされている場合（ステップＳ５０７：Ｙ）、制御部２０は信号検出フラグ２１ｂをクリア（ＯＦＦ）し（ステップＳ５０８）、ステップＳ５１５に移行する。
信号検出フラグ２１ｂがセットされていない場合（ステップＳ５０７：Ｎ）、ステップＳ５０９に移行する。
【００９４】
ステップＳ５０９において制御部２０は、前回使用時に画像信号が検出されていないのでダイレクトオンモードを解除するかどうかの確認メッセージを画像投写部１０に投写させる。このときの確認メッセージは前述した図５と同じである。
【００９５】
ステップＳ５１０において制御部２０は、確認メッセージに対する応答操作を検出したか調べる。応答操作を検出した場合（ステップＳ５１０：Ｙ）、ステップＳ５１１に移行する。応答操作を検出していない場合（ステップＳ５１０：Ｎ）、ステップＳ５１３に移行する。
【００９６】
ステップＳ５１３において制御部２０は、信号検出部５が画像信号入力部２より画像信号を検出しているか調べる。画像信号が検出されている場合（ステップＳ５１３：Ｙ）、制御部２０は信号検出フラグ２１ｂをセット（ＯＮ）し（ステップＳ５１４）、ステップＳ５１５に移行する。
画像信号が検出されていない場合（ステップＳ５１３：Ｎ）、ステップＳ５１０からの処理を繰り返す。
【００９７】
ステップＳ５１１において制御部２０は入力操作部２３よりダイレクトオンモード解除が選択されたか調べる。
ダイレクトオンモード解除が選択された場合（ステップＳ５１１：Ｙ）、制御部２０はモード設定部２１ａに通常モードを設定し（ステップＳ５１２）、ステップＳ５１５に移行する。
ダイレクトオンモード解除が選択されなかった場合（ステップＳ５１１：Ｎ）、ステップＳ５１５に移行する。
【００９８】
ステップＳ５１５において制御部２０は、画像投写部１０に投写を開始させる。
【００９９】
なお、プロジェクター１が投写中に、画像信号を新たに検出した場合の動作は図２のステップＳ１２１からステップＳ１２２と同じであるので説明は省略する。
【０１００】
以上説明したように、本変形例のプロジェクター１によれば、信号検出フラグ２１ｂがセットされていない状態、即ち、一度も画像信号が入力されない状態で商用電源が遮断された状態において、ダイレクトオンモードで起動したときに、ダイレクトオンモードを解除するかどうかの確認メッセージを表示させた後で、画像信号が入力された場合に確認メッセージを消去するとともに、画像信号を投写する。これによって、確認メッセージ表示中に画像信号が検出され、正しく投写できる状態に復帰した場合、使用者が操作しなくてもメッセージを消去して通常の投写状態に移行させることが可能となる。
【０１０１】
（変形例５）
上記実施形態、および変形例１から変形例４ではプロジェクター１を使用中に一度でも画像信号が検出された場合、信号検出フラグ２１ｂがセットされ、次回起動時までクリアされないが、画像信号が検出されない状態が所定時間継続した場合に信号検出フラグ２１ｂをクリアするようにしてもよい。
【０１０２】
本変形例のプロジェクター１の動作を図９（ａ），（ｂ）のフローチャートを用いて説明する。なお、プロジェクター１に商用電源が供給されてからの動作は省略する。
【０１０３】
〔画像信号検出時の動作〕
図９（ａ）に示すように、プロジェクター１が投写中に信号検出部５が画像信号を新たに検出した場合、つまり無信号の状態から有効な画像信号を検出した場合（ステップＳ６０１）、制御部２０は信号検出フラグ２１ｂをセット（ＯＮ）し（ステップＳ６０２）、本動作フローを終了する。
【０１０４】
〔画像信号非検出時の動作〕
一方、図９（ｂ）に示すように、信号検出部５が無信号状態を検出した場合、つまり有効な画像信号を検出しなくなった場合（ステップＳ６１１）、制御部２０はタイマー２０ａによる計時を開始（タイマースタート）する（ステップＳ６１２）。
【０１０５】
次に制御部２０は信号検出部５が有効な画像信号を検出したか調べる（ステップＳ６１３）。画像信号を検出した場合は（ステップＳ６１３：Ｙ）、信号検出フラグ２１ｂをセット（ＯＮ）する（ステップＳ６１４）。画像信号を検出していない場合（ステップＳ６１３：Ｎ）、タイマー２０ａが所定の第３の時間を経過したか否かを調べる（ステップＳ６１５）。
タイマー２０ａが所定の第３の時間を経過していなければ（ステップＳ６１５：Ｎ）、ステップＳ６１３からの処理を繰り返す。
タイマー２０ａが所定の第３の時間を経過していたら（ステップＳ６１５：Ｙ）、信号検出フラグ２１ｂをクリア（ＯＦＦ）し（ステップＳ６１６）、本動作フローを終了する。
【０１０６】
以上説明したように、本変形例のプロジェクター１によれば、画像信号が入力され、信号検出フラグ２１ｂがセットされた後で、所定時間以上、画像信号が入力されていない状態が継続した場合、信号検出フラグ２１ｂがクリアされる。よって、投写途中になんらかの要因により画像信号が入力されなくなった後で商用電源が遮断された状態においても、ダイレクトオンモードで起動したときに、使用者にその旨を通知させ、ダイレクトオンモードを解除することが可能となる。
【符号の説明】
【０１０７】
１…プロジェクター、２…画像信号入力部、３…画像信号処理部、４…ＯＳＤ処理部、５…信号検出部、１０…画像投写部、１１…光源、１２Ｒ，１２Ｇ，１２Ｂ…液晶ライトバルブ、１３…投写レンズ、１４…液晶駆動部、２０…制御部、２１…記憶部、２１ａ…モード設定部、２１ｂ…信号検出フラグ、２２…光源制御部、２３…入力操作部。
【図１】
2012133082.tif 000003
【図２】
2012133082.tif 000004
【図３】
2012133082.tif 000005
【図４】
2012133082.tif 000006
【図５】
2012133082.tif 000007
【図６】
2012133082.tif 000008
【図７】
2012133082.tif 000009
【図８】
2012133082.tif 000010
【図９】
2012133082.tif 000011